(57)【要約】      （修正有）【課題】防水性が高く、製造コストが低廉なボタン装置を提供する。【解決手段】押圧操作されるボタンキャップ１０１と、ボタンキャップ１０１の下方へ一体に延びるボタン脚部１０２と、操作パネルのケーシングを貫通するボタン座体１０３と、弾性を有する筒状のカバー１０４を備え、ボタン座体１０３にボタン脚部１０２を上下動自在に挿通する通孔１０３２１が形成され、ボタン脚部１０２の外周面下端部にボタン座体１０３の下面に係合可能な第一係合突起１０２１，１０２１’が形成され、カバー１０４は通孔１０３２１を囲むようにボタン座体１０３に設置され、カバー１０４の上端がボタンキャップ１０１の下面に当接して、ボタンキャップ１０１を上方へ付勢する。【選択図】図１
0003144060.tif 000002
【実用新案登録請求の範囲】
【請求項１】
電子装置の操作パネルに取り付けられたボタン装置であって、押圧操作されるボタンキャップと、該ボタンキャップの下面から下方へ一体に延びるボタン脚部と、前記操作パネルのケーシングを貫通するボタン座体と、弾性を有する筒状のカバーとを備え、前記ボタン座体に形成された通孔に前記ボタン脚部を上下動自在に挿通し、前記ボタン脚部の外周面下端部に前記ボタン座体の下面と係合可能な第一係合突起が形成され、前記カバーは前記通孔を囲むように前記ボタン座体に設置され、前記カバーの上端が前記ボタンキャップの下面に当接して、該ボタンキャップを上方へ付勢していることを特徴とするボタン装置。
【請求項２】
前記ボタン座体には、前記操作パネルのケーシング外面と接触する面に、前記カバーを囲むようにパッキンを取り付けたことを特徴とする請求項１に記載のボタン装置。
【請求項３】
前記ボタン座体の外周面下端部に、前記操作パネルのケーシング内面と係合する第二係合突起が形成されている請求項１に記載のボタン装置。
【請求項４】
前記ボタン座体に、前記操作パネル内に設置された発光部材の光を透過する透光孔を形成してある請求項１に記載のボタン装置。
【請求項５】
前記透光孔に、任意の色彩の透光カバーをはめ込んである請求項４に記載のボタン装置。
【請求項６】
前記ボタン座体が透明である請求項１に記載のボタン装置。
【考案の詳細な説明】
【技術分野】
【０００１】
本考案は、電子装置の操作パネル上に取り付けられたボタン装置に関する。
【背景技術】
【０００２】
電子装置の操作パネルに設置されたボタン装置の多くは、ボタンとボタン座体から成り、使用者がボタンを押すと、ボタンは下方に移動して導電体を押圧し、何らかの電子信号が発信されるようになっている。  
従来のボタン装置は、操作パネルの表面に液体が付着すると、この液体がボタン装置と操作パネルの間に形成された隙間から内部に入り込み、回路板を破壊することがある。
これを防ぐために、操作パネル及びボタン装置の表面に防水フィルムを設置し、操作パネルの内部に液体が浸入しないようにすることがある。
【０００３】
しかし、操作パネル内に設置した防水フィルムはボタンのスムーズな移動を阻害し、意図しないボタンを押してしまうことさえある。  
また、長期間使用すると、人や物の接触により防水フィルムが破損し、防水効果が低下する心配もある。  
さらに、防水フィルムを使用せずに防水効果を上げようとすると、１つ１つのボタン装置に防水カバーを設置するしかないため、コストが高くつく。
【考案の開示】
【考案が解決しようとする課題】
【０００４】
本考案が解決しようとする課題は、防水性が高く、製造コストが低廉なボタン装置を提供することにある。
【課題を解決するための手段】
【０００５】
本考案は、電子装置の操作パネルに取り付けられたボタン装置に関し、押圧操作されるボタンキャップと、該ボタンキャップの下面から下方へ一体に延びるボタン脚部と、前記操作パネルのケーシングを貫通するボタン座体と、弾性を有する筒状のカバーとを備え、前記ボタン座体に形成された通孔に前記ボタン脚部を上下動自在に挿通し、前記ボタン脚部の外周面下端部に前記ボタン座体の下面と係合可能な第一係合突起が形成され、前記カバーは前記通孔を囲むように前記ボタン座体に設置され、前記カバーの上端が前記ボタンキャップの下面に当接して、該ボタンキャップを上方へ付勢している。
【０００６】
前記ボタン座体には、前記操作パネルのケーシング外面と接触する面に、前記カバーを囲むようにパッキンを取り付けると良い。  
前記ボタン座体の外周面下端部に、前記操作パネルのケーシング内面と係合する第二係合突起を形成しても良い。  
前記ボタン座体に、前記操作パネル内に設置された発光部材の光を透過する透光孔を形成することがある。  
この時、前記透光孔に、任意の色彩の透光カバーをはめ込んでも良い。  
或いは、前記ボタン座体を透明とすることもある。
【考案の効果】
【０００７】
本考案によれば、ボタン座体とボタンキャップとの隙間から液体が浸入しても、通孔及びこれに挿入されたボタン脚部はカバーで覆われているので、通孔を通して操作パネルの内部まで達することがなく、この結果、操作パネル内部の回路板等が破損するのを防ぐことができる。  
また、防水部材であるカバーが、ボタンキャップを元の位置に復帰させる付勢部材としても機能するので、部品数が少なくなって、製造コストを抑制できる。
【考案を実施するための最良の形態】
【０００８】
以下、本考案の実施例を図面に基づいて詳細に説明する。  
図１及び図３に示すように、本考案のボタン装置１０は、電子装置の操作パネル３０に取り付けられ、ボタンキャップ１０１、一対のボタン脚部１０２、ボタン座体１０３、カバー１０４及びパッキン１０５を備える。  
ボタンキャップ１０１は、使用者が押圧操作する部分であり、本実施例では四角形としてあるが、操作しやすい大きさ・形状とすることができる。
【０００９】
ボタン脚部１０２は、図１及び図２に示すように、ボタンキャップ１０１より小径の円柱を軸方向に沿って二つに割った形状とされ、ボタン座体１０３を貫通する長さを有する。また、ボタン脚部１０２は、ボタンキャップ１０１の下面から下方へ一体に延び、径方向の押圧力を受けるとその下端部が接近するよう弾性的に変形可能である。  
さらに、二つのボタン脚部１０２の外周面下端部には、逆向きに突出する第一係合突起１０２１，１０２１’を形成してある。
【００１０】
図１及び図３に示すように、ボタン座体１０３は、操作パネル３０の外部に露出する上層部分１０３１と、その下面に一体に設けられ、操作パネル３０内に挿入される下層部分１０３２とから成る。  
上層部分１０３１の一側部には透光孔１０３３を形成し、透光孔１０３３に透光カバー１０３４をはめ込んである。この透光孔１０３３は、操作パネル３０内に設置された発光ダイオード等の発光部材４０と対応する位置に形成してある。そして、ボタン装置１０を操作して入力を行なうと、電子装置からの信号により発光部材４０が作動し、透光孔１０３３を通過した光によって入力が行なわれたことを示すようになっている。  
なお、透光カバー１０３４の色をさまざまに変えることによって、透光カバー１０３４を透過する光の色を任意に変更することができる。
【００１１】
上層部分１０３１には、ボタンキャップ１０１を嵌合可能な座刳り穴１０３１２が形成され、下層部分１０３２には、ボタン脚部１０２を挿入するための円形の通孔１０３２１が、座刳り穴１０３１２の底に連続して形成される。  
また、下層部分１０３２の両側部には、径方向へ押圧した時に内側へ撓む脚がそれぞれ形成されると共に、脚の外周面下端部に互いに逆向きに突出した第二係合突起１０３２３，１０３２３’が形成されている。
【００１２】
座刳り穴１０３１２の底から下方に向けて、円形のカバー支持溝１０３１１が通孔１０３２１を囲むよう形成される。  
また、上層部分１０３１の下面には下層部分１０３２の上端外周に沿って溝が形成され、この溝にパッキン１０５が嵌合されている。  
カバー１０４は、弾性を有する素材より成り、下部が円筒形で、上部は上方に向かって次第に径小となる傘状に形成される。また、カバー１０４の上下端面は開口しており、下端開口部はカバー支持溝１０３１１と同径で、上端開口部はボタン脚部１０２の基部外周に密着する直径を有する。
【００１３】
このボタン装置１０は、次のように操作パネル３０へ組み込まれる。  
操作パネル３０の内部には回路板が収納され、操作パネル３０のケーシングには、ボタン座体１０３の下層部分１０３２を挿入するための孔が形成されると共に、孔の下方において回路板には導電体２０が設置されている。  
ケーシングの孔は、発光部材４０を設置した箇所において下層部分１０３２の断面積よりも大きく形成され、発光部材４０の光を遮断しないようになっている。
【００１４】
まず、ボタン座体１０３の下層部分１０３２を孔に差し込み、上層部分１０３１を操作パネル３０のケーシングの外面に重合してパッキン１０５を密着させる。  
上層部分１０３１の下面とケーシング外面との隙間から浸入しようとする液体は、パッキン１０５によって阻まれ、ケーシングの孔を通って操作パネル３０の内部まで入り込むことは無い。  
また、下層部分１０３２の下端部に形成した第二係合突起１０３２３，１０３２３’をケーシングの内面に弾性係合させ、ボタン座体１０３が脱出するのを防ぐ。
【００１５】
そして、ボタン脚部１０２をカバー１０４に通してから、ボタン脚部１０２をボタン座体１０３の通孔１０３２１に上下動自在に挿通すると共に、カバー１０４の下部の円筒部分をカバー支持溝１０３１１に係合する。  
ボタンキャップ１０１とボタン座体１０３の上層部分１０３１との隙間から液体が浸入しても、ボタン脚部１０２及び通孔１０３２１はカバー１０４で覆われているので、通孔１０３２１を通して操作パネル３０の内部に入り込む心配は無い。
【００１６】
常態においては、図３に示すように、カバー１０４が伸びてボタンキャップ１０１を押し上げ、ボタンキャップ１０１が座刳り穴１０３１２の底から浮き上がると共に、第一係合突起１０２１，１０２１’がボタン座体１０３の下面１０３２２と係合している。  
ボタンキャップ１０１を押圧操作すると、図４に示すように、ボタンキャップ１０１がカバー１０４を押し潰して座刳り穴１０３１２の底に当たり、ボタン脚部１０２が下方に摺動してその先端が導電体２０に接触する。この時、第一係合突起１０２１，１０２１’はボタン座体１０３の下面１０３２２から離れる。  
ボタン脚部１０２が導電体２０に接触すると、電子信号が電子装置の中央処理装置へ送られ、ボタン装置１０に対応する何らかの処理が行なわれる。また、発光部材４０が発光して、ボタン装置１０により入力が行なわれたことを示す。
【００１７】
ボタンキャップ１０１を解放すると、図５に示すように、押し潰されていたカバー１０４が元の長さまで伸びてボタンキャップ１０１を押し上げる。これに伴い、ボタン脚部１０２も上昇して導電体２０から遠ざかり、中央処理装置へ送られていた信号が停止すると共に、発光部材４０が消灯する。  
なお、ボタン座体１０３に透光孔１０３３を形成せず、ボタン座体１０３そのものを透明とすることもできる。
【図面の簡単な説明】
【００１８】
【図１】本考案の実施例を示すボタン装置の分解斜視図。
【図２】本考案の実施例を示すボタン装置の要部斜視図。
【図３】本考案の実施例を示すボタン装置の断面図。
【図４】ボタンキャップを押圧操作した時のボタン装置の断面図。
【図５】ボタンキャップを解放した時のボタン装置の断面図。
【符号の説明】
【００１９】
１０  ボタン装置
１０１  ボタンキャップ
１０２  ボタン脚部
１０２１，１０２１’  第一係合突起
１０３  ボタン座体
１０３１  上層部分
１０３１１  カバー支持溝
１０３１２  座刳り穴
１０３２  下層部分
１０３２１  通孔
１０３２２  下面
１０３２３，１０３２３’  第二係合突起
１０３３  透光孔
１０３４  透光カバー
１０４  カバー
１０５  パッキン
２０  導電体
３０  操作パネル
４０  発光部材
【図１】
0003144060.tif 000003
【図２】
0003144060.tif 000004
【図３】
0003144060.tif 000005
【図４】
0003144060.tif 000006
【図５】
0003144060.tif 000007